(57)【特許請求の範囲】
【請求項１】
親機と複数の子機とからなる内部端末装置を備え、親機を介して各内部端末装置と外部端末装置との間での外線通話が実施可能な電話機において、
外線通話の発信時に、相手先の外部端末装置の電話番号を検出する発信時外部端末装置検出手段と、
外線通話の着信時に、相手先の外部端末装置の電話番号を検出する着信時外部端末装置検出手段と、
通話時間を計測する計時手段と、
外線通話時に、外部端末装置の電話番号と各内部端末装置の通話時間の積算時間とを対応付けて記憶する記憶手段と、
外線通話の着信時に、検出された相手先外部端末装置の電話番号が前記記憶手段に記憶されているかどうかを判定する判定手段と、
前記判定手段の判定結果に基づいて電話番号が記憶されているときには、対応する内部端末装置であって、積算時間の最も長い内部末端装置の呼出し音を出力させる呼出し音出力制御手段とを含むことを特徴とする電話機。
【請求項２】
前記呼出し音出力制御手段は、前記判定手段の判定結果に基づいて電話番号が記憶されているときには、対応する内部端末装置であって、積算時間の最も長い内部末端装置の呼出し音を予め定められる期間だけ呼出し音を出力させた後、すべての内部端末装置で呼出し音を出力させることを特徴とする請求項１記載の電話機。
【請求項３】
外部端末装置毎の通話時間の全積算時間に対する各内部端末装置の通話時間の積算時間の割合をそれぞれ算出する積算時間割合算出手段を含み、
前記記憶手段は、外線通話時に、外部端末装置の電話番号と各内部端末装置の通話時間の積算時間とを、積算時間割合とともに対応付けて記憶し、
前記呼出し音出力制御手段は、前記判定手段の判定結果に基づいて電話番号が記憶されているときには、対応する内部端末装置であって、積算時間割合が予め定められる値以上の内部端末装置で予め定められる期間だけ呼出し音を出力させた後、すべての内部端末装置で呼出し音を出力させることを特徴とする請求項１記載の電話機。
【請求項４】
前記記憶手段は、内部端末装置と外部端末装置との外線通話の通話時間のみを積算した積算時間を記憶することを特徴とする請求項１記載の電話機。
【請求項５】
前記積算時間割合算出手段は、内部端末装置と外部端末装置との外線通話の通話時間のみを用いて積算時間割合を算出することを特徴とする請求項３記載の電話機。
【発明の詳細な説明】
【０００１】
【発明の属する技術分野】
本発明は、親機と複数の子機とを備え、内線通話と外線通話とが実施可能な電話機に関する。
【０００２】
【従来の技術】
親機と複数の子機とからなる内部末端装置を備え、親機子機間や子機間の通話である内線通話と、親機を介して親機または子機と外部端末装置との通話である外線通話とが実施可能な電話機として、たとえばコードレス電話機が挙げられる。これによって、親機で受けた電話を子機に転送したり、子機で受けた電話を他の子機または親機に転送したりすることができる。
【０００３】
また、このような電話機における外線通話の着信時において、子機を優先的に呼出す機能が知られている。具体的には、予め定められる特定子機を所定回数呼出した後、親機およびすべての子機を呼出している。これによって特定子機を常時使用する操作者が、電話の取次ぎの手間をかけることなく通話可能となる。
【０００４】
このような優先呼出し機能に関し、従来技術の電話機に用いられる交換機の技術が、特開平６−３０３３２３号公報に開示されている。該技術では、呼の回線種別に対応して転送先を予め登録した転送先設定テーブルを設けて、話中や不在時の転送元内線端末装置に呼が着信した場合に、前記転送先設定テーブルを参照して登録されている転送先に呼を接続している。
【０００５】
また、他の従来技術の電話機の技術が、特開平５−９５３９６号公報に開示されている。該技術では、通話頻度などに応じて電話番号に優先順位を設定している。具体的には、発着信時に通信相手の電話番号や名前を検出し、かつ応答の有無や話中かどうかを検出して、記憶し、電話帳を作成している。このとき、検出した情報に基づいて、電話番号に優先順位を設定し、設定した優先順位で電話帳を作成している。このようにして作成された電話帳を用いることによって、再発呼時の電話番号の検索を効率良く行っている。
【０００６】
また、さらに他の従来技術の電話機に用いられる交換機の技術が、特開平６−２７６５６３号公報に開示されている。該技術では、特定の発呼者からのダイヤルイン番号による着信呼を所定の内線端末装置に接続するようにして、前記特定発呼者への不快感を低減している。
【０００７】
【発明が解決しようとする課題】
しかし、前記子機の優先呼出し機能を有する電話機において、発呼者にかかわらず常に特定子機を呼出すようにした場合、該特定子機が所望とする子機ではなかったときに、該特定子機の操作者は、煩わしい転送操作を実施しなければならない。また、このような操作のために無駄な通話料金が必要となる。
【０００８】
前記特開平６−３０３３２３号公報の技術では、回線種別に応じて転送先を指定しているが、該転送先が所望とする転送先ではなかったときには、前述したのと同様に、煩わしい転送操作や無駄な通話料金が必要となる。
【０００９】
また、前記特開平５−９５３９６号公報の技術では、通話頻度などに応じて電話番号に優先順位を設定して電話帳を作成して、再発呼時の電話番号の検索を効率良く行えるようにしているが、特定の端末装置を優先的に呼出すようにはしていない。
【００１０】
また、前記特開平６−２７６５６３号公報の技術では、端末装置の数だけのダイヤルイン番号が必要となる。
【００１１】
本発明の目的は、親機と複数の子機とからなる内部端末装置とを備え、転送に要する手間を少なくして、通話料金を低減することができる電話機を提供することである。
【００１２】
【課題を解決するための手段】
本発明は、親機と複数の子機とからなる内部端末装置を備え、親機を介して各内部端末装置と外部端末装置との間での外線通話が実施可能な電話機において、
外線通話の発信時に、相手先の外部端末装置の電話番号を検出する発信時外部端末装置検出手段と、
外線通話の着信時に、相手先の外部端末装置の電話番号を検出する着信時外部端末装置検出手段と、
通話時間を計測する計時手段と、
外線通話時に、外部端末装置の電話番号と各内部端末装置の通話時間の積算時間とを対応付けて記憶する記憶手段と、
外線通話の着信時に、検出された相手先外部端末装置の電話番号が前記記憶手段に記憶されているかどうかを判定する判定手段と、
前記判定手段の判定結果に基づいて電話番号が記憶されているときには、対応する内部端末装置であって、積算時間の最も長い内部末端装置の呼出し音を出力させる呼出し音出力制御手段とを含むことを特徴とする電話機である。本発明に従えば、外線通話時に、外部端末装置の電話番号と各内部端末装置の通話時間の積算時間とが対応付けて記憶される。外線通話の着信時に検出された相手先外部端末装置の電話番号が記憶されているときには、対応する内部端末装置であって、積算時間の最も長い内部端末装置で予め定められる期間だけ呼出し音が出力される。このようにして呼出すべき内部端末装置である確率の高い内部端末装置、すなわち通話頻度の最も高い内部端末装置を優先的に呼出すことができる。したがって、転送に要する手間を少なくして、通話料金を低減することができる。
【００１３】
また本発明は、前記呼出し音出力制御手段は、前記判定手段の判定結果に基づいて電話番号が記憶されているときには、対応する内部端末装置であって、積算時間の最も長い内部末端装置の呼出し音を予め定められる期間だけ呼出し音を出力させた後、すべての内部端末装置で呼出し音を出力させることを特徴とする。本発明に従えば、外線通話時に、外部端末装置の電話番号と各内部端末装置の通話時間の積算時間とが対応付けて記憶される。外線通話の着信時に検出された相手先外部端末装置の電話番号が記憶されているときには、対応する内部端末装置であって、積算時間の最も長い内部端末装置で予め定められる期間だけ呼出し音が出力された後、すべての内部端末装置で呼出し音が出力される。対応する内部端末装置が前記予め定められる期間内に応答すると、すべての内部端末装置での呼出し音の出力は行われず、このようにして呼出すべき内部端末装置である確率の高い内部端末装置、すなわち通話頻度の最も高い内部端末装置を優先的に呼出すことができる。したがって、転送に要する手間を少なくして、通話料金を低減することができる。
【００１４】
また本発明は、外部端末装置毎の通話時間の全積算時間に対する各内部端末装置の通話時間の積算時間の割合をそれぞれ算出する積算時間割合算出手段を含み、前記記憶手段は、外線通話時に、外部端末装置の電話番号と各内部端末装置の通話時間の積算時間とを、積算時間割合とともに対応付けて記憶し、前記呼出し音出力制御手段は、前記判定手段の判定結果に基づいて電話番号が記憶されているときには、対応する内部端末装置であって、積算時間割合が予め定められる値以上の内部端末装置で予め定められる期間だけ呼出し音を出力させた後、すべての内部端末装置で呼出し音を出力させることを特徴とする。本発明に従えば、外線通話時に、外部端末装置の電話番号と各内部端末装置の通話時間の積算時間とが、積算時間割合とともに対応付けて記憶される。外線通話の着信時に検出された相手先外部端末装置の電話番号が記憶されているときには、対応する内部端末装置であって、積算時間割合が予め定められる値以上の内部端末装置で予め定められる期間だけ呼出し音が出力された後、すべての内部端末装置で呼出し音が出力される。このようにして呼出すべき内部端末装置である確率の高い内部端末装置、すなわち通話頻度の高い内部端末装置を、たとえば複数個優先的に呼出すことができる。また、積算時間割合が予め定められる値に満たないときにはすべての内部端末装置で呼出し音を出力するようにすればよい。したがって、転送に要する手間を少なくして、通話料金を低減することができる。
【００１５】
また本発明は、前記記憶手段は、内部端末装置と外部端末装置との外線通話の通話時間のみを積算した積算時間を記憶することを特徴とする。本発明に従えば、外線通話の通話時間のみを積算した積算時間が記憶される。したがって、通話時間は、親機子機間の内線通話時間や子機間の内線通話時間を除く通話時間、すなわち外部端末装置と内部端末装置との間での外線通話時間とすることができ、外線通話頻度の高い内部端末装置を精度よく選ぶことができる。
【００１６】
また本発明は、前記積算時間割合算出手段は、内部端末装置と外部端末装置との外線通話の通話時間のみを用いて積算時間割合を算出することを特徴とする。本発明に従えば、外線通話の通話時間のみを用いて積算時間割合が算出される。したがって、通話時間の積算時間割合は、親機子機間の内線通話時間や子機間の内線通話時間を除く通話時間、すなわち外部端末装置と内部端末装置との間での外線通話時間を用いた積算時間割合とすることができ、外線通話頻度の高い内線端末装置を精度よく選ぶことができる。
【００１７】
【発明の実施の形態】
図１（Ａ）は、本発明の一実施形態である電話機の親機１の電気的構成を示すブロック図であり、図１（Ｂ）は該電話機の子機２の電気的構成を示すブロック図である。また図２は、該電話機３３の概略的構成を示す図である。
【００１８】
電話機３３は、親機１と複数（本実施形態では３）の子機２ａ〜２ｃとからなる内部末端装置を備え、各内部端末装置１，２ａ〜２ｃ同士での内線通話、および親機１と外部端末装置の間と、親機１を介して各子機２ａ〜２ｃと外部端末装置の間とでの外線通話が実施可能である。本実施形態では、親機１に対して各子機２ａ〜２ｃはコードレスに構成され、親機１と各子機２ａ〜２ｃとは無線通信によって通話を行う。なお、以降の説明では、複数の子機２ａ〜２ｃを総称するときには、参照符号２を用いる。
【００１９】
親機１は、制御部３、網制御部４、コードレス送受信部５、ハンドセット６、ハンドセット上下検出部７、ダイヤルボタン群８、呼出し音出力部９、操作ボタン１０、相手先検出部１３、相手終話検出部１４、各種設定記憶部１５、相手ＩＤ記憶部１６、タイマ１７および表示部１８を含んで構成される。また、各子機２は、制御部１９、コードレス送受信部２０、送受話器２１、操作ボタン２２、ダイヤルボタン群２４、呼出し音出力部２５および記憶部２６を含んで構成される。
【００２０】
親機１の制御部３は、予め定められる動作プログラムによって親機１全体の動作を統括的に制御し、子機２の制御部１９は、予め定められる動作プログラムによって子機２全体の動作をそれぞれ統括的に制御する。
【００２１】
親機１の網制御部４には電話回線網が接続され、該網制御部４は受信した受信信号を制御部３に与え、また制御部３からの送信すべき送信信号を電話回線網に与える。このようにして外線通話が実施される。また、親機１のコードレス送受信部５と子機２のコードレス送受信部２０とは互いに無線通信を行い、また子機２同士は親機１を介して無線通信を行う。このようにして内線通話が実施される。また、子機２は親機１を介して外線通話可能に構成される。
【００２２】
親機１において、ハンドセット上下検出部７は、ハンドセット６が持上げられたオフフック状態やハンドセット６が載置されたオンフック状態を検出する。
【００２３】
ダイヤルボタン群８からは、外線通話時には発信先の所定外部端末装置を指定する電話番号が入力され、内線通話時には発信先の所定子機２を指定する電話番号が入力される。また、親機１の動作に必要な各種設定条件が入力される。
【００２４】
呼出し音出力部９からは、外線通話および内線通話の着信時において、操作者を呼出すための呼出し音が出力される。
【００２５】
操作ボタン１０は、内線ボタン１１および保留ボタン１２を有する。内線ボタン１１からは内線通話の実施が指定される。すなわち、内線ボタン１１を押下した後、発信先の所定子機２の電話番号を入力することによって、内線通話が実施される。なお、内線ボタン１１を押下せずに、発信先の所定外部端末装置の電話番号を入力することによって、外線通話を実施することができる。
【００２６】
また、保留ボタン１２からは、外線通話や内線通話の保留が指定される。たとえば、親機１で外線通話を受けたときに、保留ボタン１２を押下することによって該外線通話を保留することがでる。なお、さらに内線ボタン１１を押下して所定子機２の電話番号を入力することによって、該外線通話を子機２に転送することができる。
【００２７】
相手先検出部１３は、外線通話時の発信および着信時において、外部端末装置の電話番号を検出する。検出された電話番号は、発信および着信日時などとともに相手ＩＤ記憶部１６に記憶される。
【００２８】
相手終話検出部１４は、外線通話の終了時において、親機１または各子機２のうちのいずれの内部端末装置で終話したかを検出する。検出された内部端末装置に関するデータは、通話していた外部端末装置の電話番号とともに、各種設定記憶部１５が有する後述するようなテーブルに記憶される。各種設定記憶部１５は、また、親機１の動作に必要な各種設定条件を記憶する。
【００２９】
タイマ１７は、通話時間を計測する。表示部１８には、ダイヤルボタン群８を用いて入力された電話番号や各種設定値などが表示される。
【００３０】
一方、子機２においては、送受話器２１を用いて通話が実施される。ダイヤルボタン群２４からは、外線通話時には発信先の所定外部端末装置の電話番号が入力され、内線通話時には発信先の親機１や他の所定子機２の電話番号が入力される。また、子機２の動作に必要な各種設定条件が入力される。入力された各種設定値は、記憶部２６に記憶される。
【００３１】
呼出し音出力部２５からは、外線通話および内線通話の着信時において、操作者を呼出すための呼出し音が出力される。
【００３２】
操作ボタン２２は、外線ボタン２３を有する。外線ボタン２３からは外線通話の実施が指定される。すなわち、外線ボタン２３を押下した後、発信先の所定外部端末装置の電話番号を入力することによって、親機１を介して外部通話が実施される。なお、外線ボタン２３を押下せずに発信先の親機１または他の所定子機２の電話番号を入力することによって、内線通話を実施することができる。
【００３３】
親機１を用いて外線通話を行う場合、発信時には、ハンドセット６が持上げられて、ハンドセット上下検出部７がオフフック状態を検出すると、ダイヤルボタン群８を用いて入力された外部端末装置の電話番号が、網制御部４から電話回線網に発信される。外部端末装置において着信動作が実施されて電話回線が閉結状態となると、親機１と外部端末装置との間で外線通話が実施される。
【００３４】
また、着信時には、網制御部４で受信した着信信号に基づいて、呼出し音出力部９から呼出し音が出力される。操作者がハンドセット６を持上げて、ハンドセット上下検出部７がオフフック状態を検出すると、電話回線が閉結状態となり、親機１と外部端末装置との間で外線通話が実施される。親機１でハンドセットが載置されてオンフック状態となるなどによって電話回線が切断されると、外線通話が終了する。
【００３５】
子機２を用いて外線通話を行う場合、発信時には、外線ボタン２３が押下されて、外線通話であることを認識すると、ダイヤルボタン群２４を用いて入力された外部端末装置の電話番号が、コードレス送受信部２０からコードレス送受信部５へ無線通信され、さらに網制御部４から電話回線網に発信される。外部端末装置において着信動作が実施されて電話回線が閉結状態となると、親機１を介して子機２と外部端末装置との間で外線通話が実施される。
【００３６】
また、着信時には、網制御部４で受信した着信信号に基づいて、着信があったことがコードレス送受信部５からコードレス送受信部２０へ無線通信され、さらに呼出し音出力部２５から呼出し音が出力される。外線ボタン２３が押下されて子機２で応答すると、電話回線が閉結状態となり、親機１を介して子機２と外部端末装置との間で外線通話が実施される。再び外線ボタン２３を押下するなどによって電話回線が切断されると、外線通話が終了する。
【００３７】
親機１と子機２とで内線通話を行う場合、親機１からの発信時には、ハンドセット６が持上げられ、続いて内線ボタン１１が押下されて、内線通話であることを認識すると、ダイヤルボタン群８を用いて入力された子機２の電話番号が、コードレス送受信部５からコードレス送受信部２０へ無線送信される。子機２において呼出し音出力部２５から呼出し音が出力されて、内線通話に応答すると、親機１と子機２との間で内線通話が実施される。親機１のハンドセット６が載置されるまたは子機２で内線通話の終了を指定すると、内線通話が終了する。
【００３８】
また、子機２からの発信時には、ダイヤルボタン群２４を用いて入力された親機１の電話番号が、コードレス送受信部２０からコードレス送受信部５へ無線送信される。親機１において呼出し音出力部９から呼出し音が出力され、ハンドセット６が持上げられて応答すると、親機１と子機２との間で内線通話が実施される。親機１のハンドセット６が載置されるまたは子機２で内線通話の終了を指定すると、内線通話が終了する。
【００３９】
子機２同士で内線通話を行う場合、一方子機２のダイヤルボタン群２４を用いて入力された他方子機２の電話番号が、一方子機２のコードレス送受信部２０から親機１のコードレス送受信部５へ無線送信される。親機１では、受信した他方子機２の電話番号を、親機１のコードレス送受信部５から他方子機２のコードレス送受信部２０へ無線送信する。他方子機２において呼出し音出力部２５から呼出し音が出力されて応答すると、親機１を介して、一方子機２と他方子機２との間で内線通話が実施される。いずれか一方子機２で内線通話の終了を指定すると、内線通話が終了する。
【００４０】
図３は、前記コードレス送受信部５，２０の詳細な構成を示すブロック図である。コードレス送受信部５，２０は、ともに、アンテナ２７、増幅部２８，２９、周波数復調部３０、周波数変調部３１およびモデム３２をそれぞれ含んで構成される。
【００４１】
親機１および子機２において送信すべき信号は、周波数変調部３１で変調された後、増幅部２９で電力増幅され、アンテナ２７を介して送信される。一方、アンテナ２７を介して親機１または子機２で受信した信号は、増幅部２８で増幅され、周波数復調部３０で復調される。また、ＭＳＫ（Minimam Shif Keying）などのモデム３２を内蔵しており、該モデム３２を介してデータ送受信を行っている。
【００４２】
図４は、データ送受信用のコマンド表３５を示す図である。該コマンド表３５は、子機２が有する各種ボタンにそれぞれ対応付けられた機能３６と、複数のコマンド３７とを、互いに対応付けて記憶したものである。各コマンド３７を親機１と子機２との間で授受することによって、子機２での操作を親機１で把握し、また子機２の動作を親機１で制御することができる。
【００４３】
また、該コマンド３７に先立って、子機２を指定する識別番号が、子機２から親機１に送信される。これによって親機１は、どの子機２からのコマンド３７であるかを把握することができ、外線通話時において、どの子機２で終話したかを判断することができる。
【００４４】
図５は、外線通話の着信時のプロトコルを示す図である。外線通話の着信があると、外線着信コマンドＦが親機１から子機２へ送信され、子機２では呼出し音が出力される。子機２で外線ボタン２３が押下されて応答すると、外線ボタンコマンドＣが子機２から親機１へ送信される。これによって、子機２は親機１を介して外線通話可能となる。子機２において再び外線ボタン２３が押下されて、外線通話の終了が指定されると、外線ボタンコマンドＣが子機２から親機１へ送信される。これによって、電話回線が遮断されて、外線通話が終了する。
【００４５】
図６は、本発明の第１実施形態である電話機３３が、前記各種設定記憶部１５に有する第１テーブルの様子を段階的に示す図である。なお、第１テーブルを総称するときには、参照符号４０を使用する。
【００４６】
第１テーブル４０は、外線通話時において、相手終話検出部１４によって検出された内部端末装置を示すデータ４２を、通話していた外部端末装置の電話番号を示すデータ４１とともに記憶するものである。ここでは、３つの子機２ａ〜２ｃを第１〜第３子機２ａ〜２ｃとする。
【００４７】
初期状態では、第１テーブル４０ａには図６（Ａ）に示されるように何も記憶されていない。外線通話の着信があると、外部端末装置の電話番号が相手先検出部１３で検出される。たとえば「０１２−３４５−６７８９」が検出される。該電話番号は初期状態の第１テーブル４０ａには記憶されていないので、すべての内部端末装置１，２ａ〜２ｃで呼出し音が出力される。いずれかの内部端末装置で応答し、終話すると、終話した内部端末装置が相手終話検出部１４で検出される。たとえば、第１子機２ａで終話したことが検出されると、外部端末装置の電話番号を示すデータ４１と第１子機２ａを示すデータ４２とが対応付けられて記憶され、図６（Ｂ）に示されるような第１テーブル４０ｂとなる。
【００４８】
次に外線通話の着信があり、再び同じ電話番号「０１２−３４５−６７８９」が検出されと、該電話番号は前記第１テーブル４０ｂに記憶されているので、まず対応付けられている第１子機２ａで優先的に呼出し音が出力される。呼出し音は、予め定められる回数、たとえば４回だけ優先して出力される。第１子機２ａで応答して終話すると、外部端末装置の電話番号を示すデータ４１と第１子機２ａを示すデータ４２とが対応付けられて、現在記憶されている内容に代わって記憶される。すなわち、同じ電話番号であったときには、データ４１，４２は更新して記憶され、図６（Ｃ）に示されるような第１テーブル４０ｃとなる。
【００４９】
なお、呼出し音の優先出力回数を０回として、常にすべての内部端末装置で呼出し音を出力し、無限大として、優先呼出しの対象となる内部端末装置以外の内部端末装置では呼出し音を出力しないようにしてもかまわない。
【００５０】
次に外線通話の着信があり、再び同じ電話番号「０１２−３４５−６７８９」が検出されと、前述したのと同様に第１子機２ａで優先的に呼出し音が出力される。第１子機２ａで応答がなかったときには、すべての内部端末装置で呼出し音が出力される。第２子機２ｂで応答して終話すると、外部端末装置の電話番号を示すデータ４１と第２子機２ｂを示すデータ４２とが対応付けられて、更新して記憶され、図６（Ｄ）に示されるような第１テーブル４０ｄとなる。
【００５１】
次に外線通話の着信があり、異なる電話番号「０９８−７６５−４３２１」が検出されと、該電話番号は前記第１テーブル４０ｄに記憶されていないので、すべての内部端末装置で呼出し音が出力される。たとえば、第１子機２ａで応答し、第３子機２ｃに転送し、第３子機２ｃで終話すると、外部端末装置の電話番号を示すデータ４１と第３子機２ｃを示すデータ４２とが対応付けられて、現在記憶されている内容に追加して記憶される。すなわち、異なる電話番号であったときには、データ４１，４２は追加して記憶され、図６（Ｅ）に示されるような第１テーブル４０ｅとなる。
【００５２】
次に電話番号「０９８−７６５−４３２１」から着信があったときには、第３子機２ｃで優先的に呼出し音が出力される。これは、電話番号「０９８−７６５−４３２１」の外部端末装置が通話したいのは、内線転送された第３子機２ｃであろうという推測に基づくものである。
【００５３】
図７〜図９は、本発明の第１実施形態である電話機３３の外線通話の着信時および発信時の通話動作を示すフローチャートである。親機１で網制御部４を介して着信信号を受信したステップａ１では、制御部３が、発信元の外部端末装置の電話番号が相手先検出部１３で検出できたかどうかを判断する。検出できたときにはステップａ２に進み、検出した電話番号を相手ＩＤ記憶部１６に記憶して、ステップａ３に進む。
【００５４】
ステップａ３では、相手ＩＤ記憶部１６に記憶した電話番号が各種設定記憶部１５の前記第１テーブル４０に記憶されているかどうかを、制御部３が判断する。電話番号が記憶されているときにはステップａ４に進み、制御部３は、該電話番号に対応して記憶されている内部端末装置を読出し、ステップａ５に進む。ステップａ５では、読出した内部端末装置の呼出し音出力部から呼出し音を優先的に出力させる。
【００５５】
ステップａ６では、優先的に呼出し音が出力された内部端末装置で応答があったかどうかを、制御部３が判断する。応答があったときにはステップａ１３に進む。応答がなかったときにはステップａ７に進み、呼出し音が予め定められる所定回数、たとえば４回だけ出力されたかどうかを、制御部３が判断する。所定回数出力していないときにはステップａ８に進み、着信信号がなくなったかどうかを、制御部３が判断する。着信信号がなくなったときには動作を終了し、着信信号がなくなっていないときにはステップａ６に戻る。
【００５６】
前記ステップａ１で発信元の外部端末装置の電話番号が検出できなかったときにはステップａ９に進み、相手ＩＤ記憶部１６に記憶された電話番号を消去してステップａ１０に進む。また、前記ステップａ３で相手ＩＤ記憶部１６に記憶された電話番号が、各種設定記憶部１５の前記第１テーブル４０に記憶されていないときには、ステップａ１０に進む。さらに、前記ステップａ７で呼出し音が所定回数だけ出力されたときには、ステップａ１０に進む。
【００５７】
ステップａ１０では、制御部３はすべての内部端末装置で呼出し音を出力させ、ステップａ１１では、いずれかの内部端末装置で応答があったかどうかを判断する。応答があったときにはステップａ１３に進み、応答がなかったときにはステップａ１２に進む。ステップａ１２では、着信信号がなくなったかどうかを制御部３が判断する。着信信号がなくなったときには動作を終了し、着信信号がなくなっていないときにはステップａ１１に戻る。
【００５８】
ステップａ１３では、制御部３は、電話回線を閉結して、外部端末装置と応答した内部端末装置との間で通話を実施させる。
【００５９】
ステップａ１４では、いずれかの内部端末装置で終話操作を行ったかどうかを、制御部３が判断する。終話操作を行ったときには、どの内部端末装置で終話操作を行ったかを相手終話検出部１４で検出してステップａ１９に進み、終話操作を行っていないときにはステップａ１５に進む。
【００６０】
ステップａ１５では、転送操作を行ったかどうかを、制御部３が判断する。転送操作を行ったときには、外線通話は保留状態となって外部端末装置には保留音などが送出されてステップａ１６に進み、転送操作を行っていないときにはステップａ１３に戻る。
【００６１】
転送操作を行ったステップａ１６では、制御部３は、指定された内部端末装置で呼出し音を出力させ、ステップａ１７では、呼出しの中止操作を行ったかどうかを判断する。呼出し中止操作を行ったときにはステップａ１３に戻り、転送操作を行った内部端末装置で再度外線通話が行われ、呼出し中止操作を行っていないときにはステップａ１８に進む。
【００６２】
ステップａ１８では、指定された内部端末装置が応答したかどうかを、制御部３が判断する。応答したときにはステップａ１３に戻り、応答した内部端末装置で外線通話が行われ、応答しなかったときにはステップａ１７に戻る。
【００６３】
いずれかの内部端末装置で終話操作が行われたステップａ１９では、通話した外部端末装置の電話番号が相手ＩＤ記憶部１６に記憶されているかどうかを、制御部３が判断する。電話番号が記憶されているときにはステップａ２０に進み、記憶されていないときには、電話回線を切断して通話動作を終了する。
【００６４】
ステップａ２０では、相手ＩＤ記憶部１６に記憶された電話番号と同じ電話番号が第１テーブル４０に記憶されているかどうかを、制御部３が判断する。電話番号が記憶されているときには、ステップａ２１に進み、第１テーブル４０の該電話番号に対応する内部端末装置を、相手終話検出部１４で検出した終話した内部端末装置に更新して記憶し、電話回線を切断して通話動作を終了する。電話番号が記憶されていないときにはステップａ２２に進み、第１テーブル４０に、該電話番号と対応する内部端末装置とを追加して記憶し、電話回線を切断して通話動作を終了する。
【００６５】
また、外部端末装置の電話番号が発信された発信時には、ステップａ２３で、相手先検出部１３で検出された外部端末装置の電話番号を相手ＩＤ記憶部１６に記憶して、ステップａ１３に進む。ステップａ１３では、外部端末装置で着信動作が実施されて、電話回線が閉結されて通話が実施される。
【００６６】
以上のように第１実施形態によれば、外線通話時には、発信時および着信時において相手先検出部１３で検出された外部端末装置の電話番号データ４１と、相手終話検出部１４で検出された終話した内部端末装置データ４２とが対応付けて、第１テーブル４０に記憶される。外線通話の着信時に相手先検出部１３で検出された発信元の外部端末装置の電話番号が第１テーブル４０に記憶されているときには、対応する内部端末装置が予め定められる期間だけ呼出された後、すべての内部端末装置が呼出される。対応する内部端末装置が前記予め定められる期間内に応答すると、すべての内部端末装置での呼出し音の出力は行われず、このようにして呼出すべき内部端末装置である確率の高い内部端末装置、すなわち直前に通話した内部端末装置を優先的に呼出すことができる。したがって、転送に要する手間を少なくして、通話料金を低減することができる。
【００６７】
次に、本発明の第２実施形態について説明する。第２実施形態の電話機は最も終話回数が多い内部端末装置で優先的に呼出し音を出力するものであり、第１実施形態の電話機３３の第１テーブル４０に代わって第２テーブルを有し、外線通話時に外部端末装置毎および内部端末装置毎に終話回数を検出する以外は、電話機３３とほぼ同様に構成される。したがって、ブロック図の説明は省略し、また同様の参照符号を用いて説明する。
【００６８】
図１０は、本発明の第２実施形態である電話機３３が、前記各種設定記憶部１５に有する第２テーブルの様子を段階的に示す図である。なお、第２テーブルを総称するときには、参照符号４５を使用する。
【００６９】
第２テーブル４５は、外線通話時において、相手終話検出部１４によって検出された終話した内部端末装置の終話回数を示すデータ４７〜４９を、各内部端末装置毎に、通話していた外部端末装置の電話番号を示すデータ４６に対応付けて記憶するものである。
【００７０】
初期状態では、第２テーブル４５ａには図１０（Ａ）に示されるように何も記憶されていない。外線通話の着信があり、相手先検出部１３で電話番号「０１２−３４５−６７８９」が検出される。該電話番号は初期状態の第２テーブル４５ａには記憶されていないので、すべての内部端末装置で呼出し音が出力される。相手終話検出部１４で第１子機２ａで終話したことが検出されると、外部端末装置の電話番号を示すデータ４６と各子機２ａ〜２ｃの終話回数を示すデータ４７〜４９とが対応付けられて記憶され、図１０（Ｂ）に示されるような第２テーブル４５ｂとなる。この場合、該電話番号に対応する第１子機２ａの終話回数が１となる。
【００７１】
次に外線通話の着信があり、再び同じ電話番号「０１２−３４５−６７８９」が検出されと、該電話番号は前記第２テーブル４５ｂに記憶されており、対応付けられている内部端末装置の中で最も終話回数の多い内部端末装置、すなわち第１子機２ａで優先的に呼出し音が出力される。第１子機２ａで応答して終話すると、外部端末装置の電話番号を示すデータ４６と各子機２ａ〜２ｃの終話回数を示すデータ４７〜４９とが対応付けられて、更新して記憶され、図１０（Ｃ）に示されるような第２テーブル４５ｃとなる。この場合、該電話番号に対応する第１子機２ａの終話回数が２となる。
【００７２】
次に外線通話の着信があり、再び同じ電話番号「０１２−３４５−６７８９」が検出されと、前述したのと同様に第１子機２ａで優先的に呼出し音が出力される。第１子機２ａで応答がなかったときには、すべての内部端末装置で呼出し音が出力される。第２子機２ｂで応答して終話すると、外部端末装置の電話番号を示すデータ４６と各子機２ａ〜２ｃの終話回数を示すデータ４７〜４９とが対応付けられて、更新して記憶され、図１０（Ｄ）に示されるような第２テーブル４５ｄとなる。この場合、該電話番号に対応する第２子機２ｂの終話回数が１となる。
【００７３】
次に外線通話の着信があり、異なる電話番号「０９８−７６５−４３２１」が検出されと、該電話番号は前記第２テーブル４５ｄに記憶されていないので、すべての内部端末装置で呼出し音が出力される。たとえば、第１子機２ａで応答し、第３子機２ｃに転送し、第３子機２ｃで終話すると、外部端末装置の電話番号を示すデータ４６と各子機２ａ〜２ｃの終話回数を示すデータ４７〜４９とが対応付けられて、追加して記憶され、図１０（Ｅ）に示されるような第２テーブル４５ｅとなる。この場合、該電話番号に対応する第３子機２ｃの終話回数が１となる。
【００７４】
次に同じ電話番号「０９８−７６５−４３２１」から着信があったときには、該電話番号に対応付けられている内部端末装置であって、最も終話回数が多い内部端末装置で呼出し音が出力されるので、第３子機２ｃで優先的に呼出し音が出力される。これは、電話番号「０９８−７６５−４３２１」の外部端末装置が通話したいのは、終話回数の最も多い第３子機２ｃであろうという推測に基づくものである。
【００７５】
図１１および図１２は、本発明の第２実施形態である電話機３３の外線通話の着信時および発信時の通話動作を示すフローチャートである。該フローチャートは、第１実施形態のフローチャートのステップａ４，ａ２１，ａ２２に代わってを削除し、ステップａ３１〜ａ３３を挿入したものであり、同じステップの説明は省略する。
【００７６】
ステップａ３で、相手ＩＤ記憶部１６に記憶した電話番号が、各種設定記憶部１５の第２テーブル４５に記憶されているかどうかを、制御部３が判断し、電話番号が記憶されているときにはステップａ３１に進む。ステップａ３１では、制御部３は、該電話番号に対応して記憶されている内部端末装置の中で、最も終話回数の多い内部端末装置を読出し、ステップａ５に進む。
【００７７】
ステップａ２０で、相手ＩＤ記憶部１６に記憶された電話番号と同じ電話番号が第２テーブル４５に記憶されているかどうかを、制御部３が判断し、電話番号が記憶されているときには、ステップａ３２に進み、第２テーブル４５の該電話番号に対応する内部端末装置の終話回数を、１だけ増加して更新して記憶し、電話回線を切断して通話動作を終了する。電話番号が記憶されていないときにはステップａ３３に進み、第２テーブル４５に、該電話番号と対応する内部端末装置の終話回数とを追加して記憶し、電話回線を切断して通話動作を終了する。
【００７８】
以上のように第２実施形態によれば、外線通話時には、相手終話検出部１４で検出された終話した内部端末装置の終話回数を示すデータ４７〜４９が、各内部端末装置毎に、相手先検出部１３で検出された外部端末装置の電話番号を示すデータ４６と対応付けられて、第２テーブル４５に記憶される。外線通話の着信時に、相手先検出部１３で検出された相手先外部端末装置の電話番号が第２テーブル４５に記憶されているときには、対応する内部端末装置であって、終話回数の最も多い内部端末装置が予め定められる期間だけ呼出された後、すべての内部端末装置が呼出される。対応する内部端末装置が前記予め定められる期間内に応答すると、すべての内部端末装置での呼出し音の出力は行われず、このようにして呼出すべき内部端末装置である確率の高い内部端末装置、すなわち通話頻度の最も高い内部端末装置を優先的に呼出すことができる。したがって、転送に要する手間を少なくして、通話料金を低減することができる。
【００７９】
なお、最も多い同じ終話回数の内部端末装置があった場合には、複数の内部端末装置で優先的に呼出し音を出力してもかまわない。
【００８０】
次に、本発明の第３実施形態について説明する。第３実施形態の電話機は、外部端末装置毎のすべての終話回数に対する各内部端末装置の終話回数割合を求め、該終話回数割合が予め定められる値以上の内部端末装置で優先的に呼出し音を出力するものであり、第２実施形態の電話機３３の第２テーブル４５に代わって第３テーブル５０を有し、前記終話回数割合を求める以外は、第２実施形態の電話機３３とほぼ同様にして構成される。したがって、ブロック図の説明は省略し、また同様の参照符号を用いて説明する。
【００８１】
図１３は、本発明の第３実施形態である電話機３３が、前記各種設定記憶部１５に有する第３テーブルの様子を段階的に示す図である。なお、第３テーブルを総称するときには、参照符号５０を使用する。
【００８２】
第３テーブル５０は、外線通話時において、相手終話検出部１４によって検出された終話した各内部端末装置の終話回数および終話回数割合を示すデータ５２〜５４を、各内部端末装置毎に、通話していた外部端末装置の電話番号を示すデータ５１と対応付けて記憶するものである。
【００８３】
初期状態では、第３テーブル５０ａには図１３（Ａ）に示されるように何も記憶されていない。外線通話の着信があり、相手先検出部１３で電話番号「０１２−３４５−６７８９」が検出される。該電話番号は初期状態の第３テーブル５０ａには記憶されていないので、すべての内部端末装置で呼出し音が出力される。相手終話検出部１４で第１子機２ａで終話したことが検出されると、外部端末装置の電話番号を示すデータ５１と、各子機２ａ〜２ｃの終話回数および終話回数割合を示すデータ５２〜５４とが対応付けられて記憶され、図１３（Ｂ）に示されるような第３テーブル５０ｂとなる。この場合、該電話番号に対する第１子機２ａの終話回数が１となり、終話回数割合が１００となる。
【００８４】
ここで、終話回数割合は、たとえば「０１２−３４５−６７８９」からの全着信回数に対して、第１〜第３子機２ａ〜２ｃでのそれぞれの終話回数の割合が、求められる。また、他の電話番号についても同様に、該電話番号からの全着信回数に対して、第１〜第３子機２ａ〜２ｃでのそれぞれの終話回数の割合が、求められる。
【００８５】
次に外線通話の着信があり、再び同じ電話番号「０１２−３４５−６７８９」が検出されと、該電話番号は前記第３テーブル５０ｂに記憶されており、対応付けられている内部端末装置の中で終話回数割合が予め定められる値以上、たとえば３０以上の内部端末装置、すなわち第１子機２ａで優先的に呼出し音が出力される。第１子機２ａで応答して終話すると、外部端末装置の電話番号を示すデータ５１と、各子機２ａ〜２ｃの終話回数および終話回数割合を示すデータ５２〜５４とが対応付けられて、更新して記憶され、図１３（Ｃ）に示されるような第３テーブル５０ｃとなる。この場合、該電話番号に対する第１子機２ａの終話回数が２となり、終話回数割合は１００である。
【００８６】
次に外線通話の着信があり、再び同じ電話番号「０１２−３４５−６７８９」が検出されると、前述したのと同様に第１子機２ａで優先的に呼出し音が出力される。第１子機２ａで応答がなかったときには、すべての内部端末装置で呼出し音が出力される。第２子機２ｂで応答して終話すると、外部端末装置の電話番号を示すデータ５１と、各子機２ａ〜２ｃの終話回数および終話回数割合を示すデータ５２〜５４とが対応付けられて、更新して記憶され、図１３（Ｄ）に示されるような第３テーブル５０ｄとなる。この場合、該電話番号に対する第１子機２ａの終話回数は２、終話回数割合は２÷３×１００≒６７となり、第２子機２ｂの終話回数は１、終話回数割合は１÷３×１００≒３３となる。
【００８７】
次に外線通話の着信があり、再び同じ電話番号「０１２−３４５−６７８９」が検出されると、対応付けられている内部端末装置であって、終話回数割合が予め定められる値以上、たとえば３０以上の内部端末装置、すなわち第１および第２子機２ａ，２ｂで優先的に呼出し音が出力される。第２子機２ｂで応答して終話すると、外部端末装置の電話番号を示すデータ５１と、各子機２ａ〜２ｃの終話回数および終話回数割合を示すデータ５２〜５４とが対応付けられて、更新して記憶され、図１３（Ｅ）に示されるような第３テーブル５０ｅとなる。この場合、該電話番号に対する第１子機２ａの終話回数は２、終話回数割合は２÷４×１００＝５０となり、第２子機２ｂの終話回数は２、終話回数割合は２÷４×１００＝５０となる。
【００８８】
次に外線通話の着信があり、異なる電話番号「０９８−７６５−４３２１」が検出されと、該電話番号は前記第３テーブル５０ｅに記憶されていないので、すべての内部端末装置で呼出し音が出力される。たとえば、第１子機２ａで応答し、第３子機２ｃに転送し、第３子機２ｃで終話すると、外部端末装置の電話番号を示すデータ５１と、各子機２ａ〜２ｃの終話回数および終話回数割合を示すデータ５２〜５４とが対応付けられて、追加して記憶され、図１３（Ｆ）に示されるような第３テーブル５０ｆとなる。この場合、該電話番号に対する第３子機２ｃの終話回数が１となり、終話回数割合が１００となる。
【００８９】
第３テーブル５０に記憶されている電話番号、たとえば「０１２−３４５−６７８９」から着信があったときには、該電話番号に対応付けられている内部端末装置であって、終話回数割合が予め定められる値以上の内部端末装置で呼出し音が出力されるので、複数の内部端末装置で呼出し音を出力することができる。これは、電話番号「０１２−３４５−６７８９」の外部端末装置が通話したいのは、終話回数割合が予め定められる値以上の内部端末装置であればいずれでもかまわないという推測に基づくものである。
【００９０】
本発明の第３実施形態である電話機３３の外線通話の着信時および発信時の通話動作を示すフローチャートは、第２実施形態とほぼ同様であり、図示は省略する。
【００９１】
第３実施形態のステップａ３１では、制御部３は、該電話番号に対応して記憶されている内部端末装置の中で、終話回数割合が予め定められる値以上の内部端末装置を読出す。
【００９２】
ステップａ３２では、第３テーブル５０の電話番号に対応する内部端末装置の終話回数を、１だけ増加して更新して記憶し、さらに各端末装置の終話回数割合を求めて記憶して、電話回線を切断して通話動作を終了する。
【００９３】
ステップａ３３では、第３テーブル５０に、電話番号と、対応する内部端末装置の終話回数および終話回数割合とを追加して記憶し、電話回線を切断して通話動作を終了する。
【００９４】
以上のように第３実施形態によれば、外線通話時には、終話した内部端末装置の終話回数および終話回数割合を示すデータ５２〜５４が、内部端末装置毎に、相手先検出部１３で検出された外部端末装置の電話番号を示すデータ５１に対応付けられて、第３テーブル５０に記憶される。外線通話の着信時に、相手先検出部１３で検出された相手先外部端末装置の電話番号が、第３テーブル５０に記憶されているときには、対応する内部端末装置であって、終話回数割合が予め定められる値以上の内部端末装置が予め定められる期間だけ呼出された後、すべての内部端末装置が呼出される。対応する内部端末装置が前記予め定められる期間内に応答すると、すべての内部端末装置での呼出し音の出力は行われず、このようにして呼出すべき内部端末装置である確率の高い内部端末装置を優先的に呼出すことができる。したがって、転送に要する手間を少なくして、通話料金を低減することができる。
【００９５】
なお、終話回数割合が予め定められる値に満たないときには、すべての内部端末装置を呼出すようにしてもかまわない。
【００９６】
次に本発明の第４実施形態について説明する。第４実施形態の電話機は、予め定められる通話時間に満たない通話に関する履歴は記憶しないものであり、通話時間の計測を行う以外は第２実施形態の電話機とほぼ同様にして構成される。
【００９７】
図１４および図１５は、第４実施形態である電話機３３の外線通話の着信時および発信時の通話動作を示すフローチャートである。該フローチャートは、第２実施形態のフローチャートのステップにステップａ４１，ａ４２を挿入したものであり、同じステップの説明は省略する。
【００９８】
ステップａ６で、優先的に呼出し音が出力された内部端末装置で応答があったかどうかを、制御部３が判断し、応答があったときにはステップａ４１に進む。ステップａ１１で、いずれかの内部端末装置で応答があったかどうかを、制御部３が判断し、応答があったときにはステップａ４１に進む。ステップａ４１では、タイマ１７で通話時間の測定が開始され、ステップａ１３に進む。
【００９９】
ステップａ１４で、いずれかの内部端末装置で終話操作を行ったかどうかを、制御部３が判断し、終話操作を行ったときには、どの内部端末装置で終話操作を行ったかを相手終話検出部１４で検出してステップａ４２に進む。ステップａ４２では、タイマ１７で測定された通話時間が予め定められる所定時間以上であるかどうかを、制御部３が判断する。所定時間以上であるときにはステップａ１９に進み、所定時間以上ではないときには、電話回線を切断して通話動作を終了する。
【０１００】
以上のように第４実施形態によれば、外線通話時には、通話時間が予め定められる値以上の通話の履歴のみが第２テーブル４５に記憶される。したがって、通話時間の短かった場合を除くことができ、このようにして呼出すべき内部端末装置である確率の高い内部端末装置を優先的に呼出すことができる。したがって、転送に要する手間を少なくして、通話料金を低減することができる。
【０１０１】
なお、第４実施形態を第１または第３実施形態の電話機に適用する例も本発明の範囲に属するものである。
【０１０２】
次に本発明の第５実施形態である電話機について説明する。第５実施形態の電話機は、通話時間を計測し、通話時間の積算値を用いて、優先的に呼出す内部端末装置を決定し、第１実施形態の電話機３３の第１テーブル４０に代わって第５テーブルを有する以外は、第１実施形態の電話機３３とほぼ同様であり、ブロック図の説明は省略する。また、同じ参照符号で説明する。
【０１０３】
図１６は、本発明の第５実施形態である電話機３３が、前記各種設定記憶部１５に有する第５テーブルの様子を段階的に示す図である。なお、第５テーブルを総称するときには、参照符号５５を使用する。
【０１０４】
第５テーブル５５は、外線通話時において、相手終話検出部１４によって検出された終話した各内部端末装置の通話時間の積算値を示すデータ５７〜５９と、通話していた外部端末装置の電話番号を示すデータ５６とを互いに対応付けて記憶するものである。
【０１０５】
初期状態では、第５テーブル５５ａには図１６（Ａ）に示されるように何も記憶されていない。外線通話の着信があり、「０１２−３４５−６７８９」が検出される。該電話番号は初期状態の第５テーブル５５ａには記憶されていないので、すべての内部端末装置で呼出し音が出力される。第１子機２ａで終話すると、外部端末装置の電話番号を示すデータ５６と各子機２ａ〜２ｃでの通話時間の積算値とが対応付けられて、更新して記憶され、図１６（Ｂ）に示されるような第５テーブル５５ｂとなる。この場合、該電話番号に対する第１子機２ａの積算時間が１００となる。
【０１０６】
次に外線通話の着信があり、再び同じ電話番号「０１２−３４５−６７８９」が検出されと、該電話番号は前記第５テーブル５５ｂに記憶されており、対応付けられている内部端末装置であって積算値の最も大きい内部端末装置、すなわち第１子機２ａで優先的に呼出し音が出力される。第１子機２ａで応答して終話すると、外部端末装置の電話番号を示すデータ５６と各子機２ａ〜２ｃの通話時間の積算値を示すデータ５７〜５９とが対応付けられて、更新して記憶され、図１６（Ｃ）に示されるような第５テーブル５５ｃとなる。この場合、該電話番号に対する第１子機２ａの積算時間が１３０となる。
【０１０７】
次に外線通話の着信があり、再び同じ電話番号「０１２−３４５−６７８９」が検出されと、前述したのと同様に第１子機２ａで優先的に呼出し音が出力される。第１子機２ａで応答がなかったときには、すべての内部端末装置で呼出し音が出力される。第２子機２ｂで応答して終話すると、外部端末装置の電話番号を示すデータ５６と各子機２ａ〜２ｃの通話時間の積算値とが対応付けられて、更新して記憶され、図１６（Ｄ）に示されるような第５テーブル５５ｄとなる。この場合、該電話番号に対する第１子機２ａの積算時間は１３０であり、第２子機２ｂの積算時間は２０となる。
【０１０８】
次に外線通話の着信があり、異なる電話番号「０９８−７６５−４３２１」が検出されと、該電話番号は前記第５テーブル５５ｄに記憶されていないので、すべての内部端末装置で呼出し音が出力される。たとえば、第１子機２ａで応答し、第３子機２ｃに転送し、第３子機２ｃで終話すると、外部端末装置の電話番号を示すデータ５６と各子機２ａ〜２ｃの通話時間の積算値とが対応付けられて、追加して記憶され、図１６（Ｅ）に示されるような第５テーブル５５ｅとなる。この場合、該電話番号に対する第１子機２ａの積算時間は２０となり、第３子機２ｃの積算時間は２２０となる。
【０１０９】
次に同じ電話番号「０９８−７６５−４３２１」から着信があったときには第３子機２ｃで優先的に呼出し音が出力される。これは、電話番号「０９８−７６５−４３２１」の外部端末装置が通話したいのは、内線転送元の第１子機２ａではなく、通話時間の積算値が最も長い第３子機２ｃであろうという推測に基づくものである。
【０１１０】
図１７〜図２０は、本発明の第５実施形態である電話機３３の外線通話の着信時および発信時の通話動作を示すフローチャートである。本実施形態のフローチャートは、第１実施形態のフローチャートのステップａ４，ａ２１，ａ２２に代わってステップａ５１〜ａ５９を挿入したものであり、同様のステップの説明は省略する。
【０１１１】
ステップａ３で、相手ＩＤ記憶部１６に記憶した電話番号が、各種設定記憶部１５の前記第５テーブル５５に記憶されているかどうかを、制御部３が判断し、電話番号が記憶されているときにはステップａ５１に進む。
【０１１２】
ステップａ５１では、該電話番号に対応して記憶されている内部端末装置の中で、通話時間の積算値が最も長い内部端末装置を読出し、ステップａ５に進む。
【０１１３】
ステップａ６，ａ１１で、内部端末装置で応答があったときにはステップａ５２に進む。ステップａ５２では、通話時間の計測を開始して、ステップａ１３に進む。
【０１１４】
ステップａ１５で、転送操作を行ったかどうかを、制御部３が判断し、転送操作を行ったときには、外線通話は保留状態となって外部端末装置には保留音などが送出されてステップａ５３に進む。ステップａ５３では、通話時間の計測を一時停止して、ステップａ１６に進む。
【０１１５】
ステップａ１７で、呼出しの中止操作を行ったかどうかを判断し、呼出し中止操作を行ったときにはステップａ５４に進み、通話時間の計測を再開して、ステップａ１３に戻り、転送操作を行った内部端末装置で再度外線通話が行われる。
【０１１６】
ステップａ１８で、指定された内部端末装置が応答したかどうかを、制御部３が判断し、応答したときにはステップａ５５に進み、後述する処理を実施した後、ステップａ５２に戻り、応答した内部端末装置で外線通話が行われる。
【０１１７】
前記ステップａ１４で、終話操作を行ったときにはステップａ５６に進み、後述する処理を実施した後、電話回線を切断して通話動作を終了する。
【０１１８】
前記ステップａ５５，ａ５６では、図２０に示される動作が実施される。すなわち、ステップａ５７で、計測された通話時間が所定時間以上であるかどうかを、制御部３が判断する。所定時間以上であるときにはステップａ１９に進み、所定時間以上ではないときには動作を終了して、前記ステップａ５２に戻るか通話動作を終了する。
【０１１９】
ステップａ２０で、相手ＩＤ記憶部１６に記憶された電話番号と同じ電話番号が第５テーブル５５に記憶されているかどうかを、制御部３が判断し、電話番号が記憶されているときには、ステップａ５８に進み、第５テーブル５５の該電話番号に対応する内部端末装置の通話時間の積算値を更新して記憶し、電話回線を切断して通話動作を終了する。電話番号が記憶されていないときにはステップａ５９に進み、第５テーブル５５に、該電話番号と対応する内部端末装置の通話時間の積算値とを追加して記憶し、電話回線を切断して通話動作を終了する。
【０１２０】
また、外部端末装置の電話番号が発信された発信時のステップａ２３で、相手先検出部１３で検出された外部端末装置の電話番号を相手ＩＤ記憶部１６に記憶すると、ステップａ５２に進む。
【０１２１】
以上のように第５実施形態によれば、外線通話を行った外部端末装置の電話番号を示すデータ５６と、各内部端末装置の通話時間の積算値を示すデータ５７〜５９とが互いに対応付けて、第５テーブル５５に記憶される。外線通話の着信時に、相手先検出部１３で検出された相手先外部端末装置の電話番号が、第５テーブル５５に記憶されているときには、対応する内部端末装置であって、積算時間の最も長い内部端末装置が予め定められる期間だけ呼出された後、すべての内部端末装置が呼出される。対応する内部端末装置が前記予め定められる期間内に応答すると、すべての内部端末装置での呼出し音の出力は行われず、このようにして呼出すべき内部端末装置である確率の高い内部端末装置、すなわち通話頻度の最も高い内部端末装置を優先的に呼出すことができる。したがって、転送に要する手間を少なくして、通話料金を低減することができる。
【０１２２】
また第５実施形態によれば、外線通話の通話時間のみを積算した積算時間が、第５テーブル５５に記憶されるので、通話時間は、親機子機間の内線通話時間や子機間の内線通話時間を除く通話時間、すなわち外部端末装置と内部端末装置との間での外線通話時間とすることができ、外線通話頻度の高い内部端末装置を精度よく選ぶことができる。
【０１２３】
次に、本発明の第６実施形態について説明する。第６実施形態の電話機は、外線通話時に、通話時間の積算値を検出するとともに、外部端末装置毎の全通話時間に対する各内部端末装置の通話時間割合がそれぞれ算出され、該通話時間割合に基づいて優先的に呼出す内部端末装置を決定するものであり、通話時間割合を求め、第１実施形態の電話機３３の第１テーブル４０に代わって第６テーブルを有する以外は、第１実施形態の電話機３３とほぼ同様にして構成される。したがって、ブロック図の説明は省略し、また同様の参照符号を用いて説明する。
【０１２４】
図２１は、本発明の第６実施形態である電話機３３が、前記各種設定記憶部１５に有する第６テーブルの様子を段階的に示す図である。なお、第６テーブルを総称するときには、参照符号６０を使用する。
【０１２５】
第６テーブル６０は、外線通話時において、相手終話検出部１４によって検出された終話した各内部端末装置の通話時間の積算値および通話時間割合を示すデータ６２〜６４を、内部端末装置毎に、通話していた外部端末装置の電話番号を示すデータ６１と対応付けて記憶するものである。
【０１２６】
初期状態では、第６テーブル６０ａには図２１（Ａ）に示されるように何も記憶されていない。外線通話の着信があり、相手先検出部１３で電話番号「０１２−３４５−６７８９」が検出される。該電話番号は初期状態の第６テーブル６０ａには記憶されていないので、すべての内部端末装置で呼出し音が出力される。相手終話検出部１４で第１子機２ａで終話したことが検出されると、外部端末装置の電話番号を示すデータ６１と、各子機２ａ〜２ｃの通話時間の積算値および通話時間割合を示すデータ６２〜６４とが対応付けられて、記憶され、図２１（Ｂ）に示されるような第６テーブル６０ｂとなる。この場合、該電話番号に対する第１子機２ａの積算値は１００となり、通話時間割合は１００となる。
【０１２７】
ここで、通話時間割合は、たとえば「０１２−３４５−６７８９」からの全通話時間に対して、第１〜第３子機２ａ〜２ｃでのそれぞれの通話時間の割合が、求められる。また、他の電話番号についても同様に、該電話番号からの全通話時間に対して、第１〜第３子機２ａ〜２ｃでのそれぞれの通話時間の割合が、求められる。
【０１２８】
次に外線通話の着信があり、再び同じ電話番号「０１２−３４５−６７８９」が検出されと、該電話番号は前記第６テーブル６０ｂに記憶されており、対応付けられている内部端末装置の中で通話時間割合が予め定められる値、たとえば２０以上の内部端末装置、すなわち第１子機２ａで優先的に呼出し音が出力される。第１子機２ａで応答して終話すると、外部端末装置の電話番号を示すデータ６１と、各子機２ａ〜２ｃの通話時間の積算値および通話時間割合を示すデータ６２〜６４とが対応付けられて、更新して記憶され、図２１（Ｃ）に示されるようなテーブル６０ｃとなる。この場合、該電話番号に対する第１子機２ａの積算値は１３０となり、通話時間割合は１００である。
【０１２９】
次に外線通話の着信があり、再び同じ電話番号「０１２−３４５−６７８９」が検出されると、前述したのと同様に第１子機２ａで優先的に呼出し音が出力される。第１子機２ａで応答がなかったときには、すべての内部端末装置で呼出し音が出力される。第２子機２ｂで応答して終話すると、外部端末装置の電話番号を示すデータ６１と、各子機２ａ〜２ｃの通話時間の積算値および通話時間割合を示すデータ６２〜６４とが対応付けられて、更新して記憶され、図２１（Ｄ）に示されるような第６テーブル６０ｄとなる。この場合、該電話番号に対する第１子機２ａの積算値は１３０、通話時間割合は１３０÷（１３０＋２０）×１００≒８７となり、第２子機２ｂの積算値は２０、通話時間割合は２０÷（１３０＋２０）×１００≒１３となる。
【０１３０】
次に外線通話の着信があり、異なる電話番号「０９８−７６５−４３２１」が検出されと、該電話番号は前記第６テーブル６０ｄに記憶されていないので、すべての内部端末装置で呼出し音が出力される。たとえば、第１子機２ａで応答し、第３子機２ｃに転送し、第３子機２ｃで終話すると、外部端末装置の電話番号を示すデータ６１と、各子機２ａ〜２ｃの通話時間の積算値および通話時間割合を示すデータ６２〜６４とが対応付けられて、追加して記憶され、図２１（Ｅ）に示されるような第６テーブル６０ｅとなる。この場合、該電話番号に対する第１子機２ａの積算値は２０、通話時間割合は２０÷（２０＋２２０）×１００≒８となり、第３子機２ｃの積算値は２２０、通話時間割合は２２０÷（２０＋２２０）×１００≒９２となる。
【０１３１】
図２２〜図２４は、本発明の第６実施形態である電話機３３の外線通話の着信時および発信時の通話動作を示すフローチャートである。該フローチャートは、第１実施形態のフローチャートのステップａ４，ａ２１，ａ２２に代わってステップａ６１〜ａ６５を挿入したものであり、同じステップの説明は省略する。
【０１３２】
ステップａ３で、相手ＩＤ記憶部１６に記憶した電話番号が、各種設定記憶部１５の前記第６テーブル６０に記憶されているかどうかを、制御部３が判断し、電話番号が記憶されているときにはステップａ６１に進む。ステップａ６１では、制御部３は、該電話番号に対応して記憶されている内部端末装置の中で、通話時間割合が予め定められる値以上の内部端末装置を読出し、ステップａ５に進む。
【０１３３】
ステップａ６で、優先的に呼出し音が出力された内部端末装置で応答があったかどうかを、制御部３が判断し、応答があったときにはステップａ６２に進む。ステップａ１１で、いずれかの内部端末装置で応答があったかどうかを、制御部３が判断し、応答があったときにはステップａ６２に進む。ステップａ６２では、通話時間の測定が開始され、ステップａ１３に進む。
【０１３４】
ステップａ１４で、いずれかの内部端末装置で終話操作を行ったかどうかを、制御部３が判断し、終話操作を行ったときには、どの内部端末装置で終話操作を行ったかを相手終話検出部１４で検出してステップａ６３に進む。
【０１３５】
ステップａ６３では、測定された通話時間が所定時間以上であるかどうかを、制御部３が判断する。所定時間以上であるときにはステップａ１９に進み、所定時間以上ではないときには、電話回線を切断して通話動作を終了する。
【０１３６】
ステップａ２０で、相手ＩＤ記憶部１６に記憶された電話番号と同じ電話番号が第６テーブル６０に記憶されているかどうかを、制御部３が判断し、電話番号が記憶されているときには、ステップａ６４に進み、第６テーブル６０の該電話番号に対応する内部端末装置の通話時間の積算値と通話時間割合とを更新して記憶して、電話回線を切断して通話動作を終了する。電話番号が記憶されていないときにはステップａ６５に進み、第６テーブル６０に、該電話番号と、対応する内部端末装置の通話時間の積算値と通話時間割合とを追加して記憶し、電話回線を切断して通話動作を終了する。
【０１３７】
以上のように第６実施形態によれば、外線通話を行った外部端末装置の電話番号を示すデータ６１と、各内部端末装置の通話時間の積算値および積算時間割合を示すデータ６２〜６４とが互いに対応付けられて、第６テーブル６０に記憶される。外線通話の着信時に、相手先検出部１３で検出された相手先外部端末装置の電話番号が第６テーブル６０に記憶されているときには、対応する内部端末装置であって、積算時間割合が予め定められる値以上の内部端末装置が予め定められる期間だけ呼出された後、すべての内部端末装置が呼出される。対応する内部端末装置が前記予め定められる期間内に応答すると、すべての内部端末装置での呼出し音の出力は行われず、このようにして呼出すべき内部端末装置である確率の高い内部端末装置、すなわち通話頻度の高い内部端末装置を優先的に呼出すことができる。
【０１３８】
なお、外線通話の通話時間のみを用いて積算時間割合を算出するようにしてもかまわない。これによって、通話時間の積算時間割合は、親機子機間の内線通話時間や子機間の内線通話時間を除く通話時間、すなわち外部端末装置と内部端末装置との間での外線通話時間を用いた積算時間割合とすることができ、外線通話頻度の高い内部端末装置を精度よく選ぶことができる。
【０１３９】
【発明の効果】
以上のように本発明によれば、通話時間の積算時間の最も長い内部端末装置、すなわち通話頻度の最も高い内部端末装置を優先的に呼出すことができる。
【０１４０】
また本発明によれば、積算時間割合に基づいて、呼出すべき内部端末装置である確率の高い内部端末装置を優先的に呼出すことができる。
【０１４１】
また本発明によれば、外線通話の通話時間のみを積算した積算時間が記憶される。また、外線通話の通話時間のみを用いて積算時間割合が算出される。したがって、通話頻度の高い内部端末装置を精度よく選ぶことができる。
【図面の簡単な説明】
【図１】図１（Ａ）は、本発明の一実施形態である電話機の親機１の電気的構成を示すブロック図であり、図１（Ｂ）は該電話機の子機２の電気的構成を示すブロック図である。
【図２】本発明の一実施形態である電話機３３の概略的構成を示す図である。
【図３】コードレス送受信部５，２０の詳細な構成を示すブロック図である。
【図４】データ送受信用のコマンド表３５を示す図である。
【図５】外線通話の着信時のプロトコルを示す図である。
【図６】第１実施形態の電話機３３が各種設定記憶部１５に有する第１テーブル４０の様子を段階的に示す図である。
【図７】第１実施形態である電話機３３の外線通話の着信時および発信時の通話動作を示すフローチャートである。
【図８】第１実施形態である電話機３３の外線通話の着信時および発信時の通話動作を示すフローチャートである。
【図９】第１実施形態である電話機３３の外線通話の着信時および発信時の通話動作を示すフローチャートである。
【図１０】本発明の第２実施形態である電話機３３が各種設定記憶部１５に有する第２テーブル４５の様子を段階的に示す図である。
【図１１】第２実施形態である電話機３３の外線通話の着信時および発信時の通話動作を示すフローチャートである。
【図１２】第２実施形態である電話機３３の外線通話の着信時および発信時の通話動作を示すフローチャートである。
【図１３】本発明の第３実施形態である電話機３３が各種設定記憶部１５に有する第３テーブル５０の様子を段階的に示す図である。
【図１４】本発明の第４実施形態である電話機３３の外線通話の着信時および発信時の通話動作を示すフローチャートである。
【図１５】第４実施形態である電話機３３の外線通話の着信時および発信時の通話動作を示すフローチャートである。
【図１６】本発明の第５実施形態である電話機３３が各種設定記憶部１５に有する第５テーブル５５の様子を段階的に示す図である。
【図１７】本発明の第５実施形態である電話機３３の外線通話の着信時および発信時の通話動作を示すフローチャートである。
【図１８】第５実施形態である電話機３３の外線通話の着信時および発信時の通話動作を示すフローチャートである。
【図１９】第５実施形態である電話機３３の外線通話の着信時および発信時の通話動作を示すフローチャートである。
【図２０】第５実施形態である電話機３３の外線通話の着信時および発信時の通話動作を示すフローチャートである。
【図２１】本発明の第６実施形態である電話機３３が各種設定記憶部１５に有する第６テーブル６０の様子を段階的に示す図である。
【図２２】本発明の第６実施形態である電話機３３の外線通話の着信時および発信時の通話動作を示すフローチャートである。
【図２３】第６実施形態である電話機３３の外線通話の着信時および発信時の通話動作を示すフローチャートである。
【図２４】第６実施形態である電話機３３の外線通話の着信時および発信時の通話動作を示すフローチャートである。
【符号の説明】
１  親機
２，２ａ〜２ｃ  子機
３，１９  制御部
４  網制御部
５，２０  コードレス送受信部
６  ハンドセット
７  ハンドセット上下検出部
８，２４  ダイヤルボタン群
９，２５  呼出し音出力部
１０，２２  操作ボタン
１１  内線ボタン
１２  保留ボタン
１３  相手先検出部
１４  相手終話検出部
１５  各種設定記憶部
１６  相手ＩＤ記憶部
１７  タイマ
１８  表示部
２１  送受話器
２３  外線ボタン
２６  記憶部
２７  アンテナ
２８，２９  増幅部
３０  周波数復調部
３１  周波数変調部
３２  モデム
３３  電話機
４０，４１ａ〜４０ｅ  第１テーブル
４１，４６，５１，５６，６１  電話番号データ
４２，４７〜４９，５２〜５４，５７〜５９，６２〜６４  内部端末装置データ
４５，４５ａ〜４５ｅ  第２テーブル
５０，５０ａ〜５０ｆ  第３テーブル
５５，５５ａ〜５５ｅ  第４テーブル
６０，６０ａ〜６０ｅ  第５テーブル
【図１】
0003737477.tif 000002
【図２】
0003737477.tif 000003
【図３】
0003737477.tif 000004
【図４】
0003737477.tif 000005
【図５】
0003737477.tif 000006
【図６】
0003737477.tif 000007
【図７】
0003737477.tif 000008
【図８】
0003737477.tif 000009
【図９】
0003737477.tif 000010
【図１０】
0003737477.tif 000011
【図１１】
0003737477.tif 000012
【図１２】
0003737477.tif 000013
【図１３】
0003737477.tif 000014
【図１４】
0003737477.tif 000015
【図１５】
0003737477.tif 000016
【図１６】
0003737477.tif 000017
【図１７】
0003737477.tif 000018
【図１８】
0003737477.tif 000019
【図１９】
0003737477.tif 000020
【図２０】
0003737477.tif 000021
【図２１】
0003737477.tif 000022
【図２２】
0003737477.tif 000023
【図２３】
0003737477.tif 000024
【図２４】
0003737477.tif 000025